(57)【要約】【課題】マニホールド用圧力トランスジューサーパッケージ及びその製造方法を提供すること。【解決手段】マニホールド内の流体圧力をモニターするパッケージ（３０）であって、一つまたはそれ以上の圧力トランスジューサー（２４）と、パッケージ（３０）内に設けたマイクロプロセッサを有し、マイクロプロセッサは単一のモジュール式の流体圧力感知装置を構成する。トランスジューサー（２４）は、一つまたはそれ以上の基板（６１）の上に配設され、トランスジューサー（２４）と、マニホールド内の圧力ポートと、または、支持部（６２）上に配設された圧力ポートとの間を直接結合させる。支持部（６２）は、圧力ポートに結合され、トランスジューサー（２４）に流体を搬送するサポートポートを有している。パッケージ（３０）は、マニホールド自体の形状を変更することなく、圧力感知機能を提供する。【選択図】図８
2007093604.tif 000002
【特許請求の範囲】
【請求項１】
少なくとも一つの圧力ポート（５２）を有するマニホールド（５０）に取付可能な圧力トランスジューサーパッケージ（３０）であって、
それぞれ一つの圧力ポートに対応するように配設され、各圧力ポート内の流体圧力に対応する信号を発生する、少なくとも一つのトランスジューサー（２４）と、
少なくとも一つのトランスジューサーから信号を受信するプロセッサ（７０）と、
少なくとも一つのトランスジューサーと前記プロセッサを収容するハウジング（３１）と、を有することを特徴とする圧力トランスジューサーパッケージ。
【請求項２】
さらに、トランスジューサーの少なくとも一つを支持する基板（６１）を有することを特徴とする請求項１に記載のパッケージ。
【請求項３】
基板はハウジング内に埋め込まれることを特徴とする請求項２に記載のパッケージ。
【請求項４】
基板はハウジング上に配設されることを特徴とする請求項２に記載のパッケージ。
【請求項５】
基板は、サーキットカード、フレックスサーキット、及び、めっきトレースのグループから選択された一つであることを特徴とする請求項２に記載のパッケージ。
【請求項６】
さらに、少なくとも一つのトランスジューサーを基板に結合する少なくとも一つの支持部（６２）を有することを特徴とする請求項２に記載のパッケージ。
【請求項７】
少なくとも一つの支持部は絶縁体から形成されることを特徴とする請求項６に記載のパッケージ。
【請求項８】
少なくとも一つの支持部は支持ポート（６６）を有し、この支持ポートは、トランスジューサーの一つに流体を搬送することができる少なくとも一つの流体チャネルを形成するように、少なくとも一つの圧力ポートに連結されることを特徴とする請求項６に記載のパッケージ。
【請求項９】
少なくとも一つのトランスジューサーは基板に直接取付けられることを特徴とする請求項２に記載のパッケージ。
【請求項１０】
少なくとも一つのトランスジューサーは、マニホールドに取付けられた際に、圧力ポートに直接接触できるように配設されることを特徴とする請求項１に記載のパッケージ。
【請求項１１】
さらに、複数のトランスジューサーの少なくとも一つの周囲にトランスジューサーハウジング（７０）を有することを特徴とする請求項１に記載のパッケージ。
【請求項１２】
少なくとも一つのトランスジューサーは、少なくとも二つのサブパッケージ（１００）が配設された少なくとも二つのトランスジューサーを備え、各サブパッケージは、少なくとも一つのトランスジューサーとサブパッケージハウジング（１０４）を有することを特徴とする請求項１に記載のパッケージ。
【請求項１３】
複数の圧力ポート（５２）を有するマニホールド（５０）に取付けられるパッケージ（３０）であって、
マニホールド内の複数の圧力ポートの一つに対応するようにそれぞれ配設され、複数の圧力ポートの一つの流体圧力に対応する信号を発生する、複数のトランスジューサー（２４）と、
複数のトランスジューサーから信号を受信するプロセッサ（７０）と、
複数のトランスジューサーの少なくとも一つを支持する基板（６１）と、
複数のトランスジューサーとプロセッサとの間で信号を巡回させる信号通信インターフェースと、
パッケージを外部システムに結合するすくなくとも一つの接続ライン（９０）と、
複数のトランスジューサー、プロセッサ及び信号通信インターフェースを収容するハウジング（３１）と、を有することを特徴とするパッケージ。
【請求項１４】
基板は、サーキットカード、フレックスサーキット、及び、めっきトレースのグループから選択された一つであることを特徴とする請求項１３に記載のパッケージ。
【請求項１５】
信号通信インターフェースは、リードフレーム、打ち抜きメタルトレース、フレックスサーキット、めっきサーキット、ワイヤハーネス、及び、ワイヤレス手段のグループから選択された一つであることを特徴とする請求項１３に記載のパッケージ。
【請求項１６】
基板と信号通信インターフェースは同一の構成部品であることを特徴とする請求項１３に記載のパッケージ。
【請求項１７】
さらに、複数のトランスジューサーの少なくとも一つを基板に結合する少なくとも一つの支持部（６２）を有することを特徴とする請求項１３に記載のパッケージ。
【請求項１８】
少なくとも一つの支持部は支持部ポート（６６）を有し、パッケージ内の支持部ポートは圧力ポートに連結され、複数のトランスジューサーに流体を搬送する複数の流体チャネルを形成することを特徴とする請求項１７に記載のパッケージ。
【請求項１９】
複数のトランスジューサーは、トランスミッションマニホールドに取付けられた際に、圧力ポートに直接接触できるように配設されることを特徴とする請求項１３に記載のパッケージ。
【請求項２０】
複数のトランスジューサーは基板に直接取付けられることを特徴とする請求項１３に記載のパッケージ。
【請求項２１】
さらに、複数のトランスジューサーの少なくとも一つの周囲にトランスジューサーハウジング（７０）を有することを特徴とする請求項１３に記載のパッケージ。
【請求項２２】
複数のトランスジューサーは、少なくとも二つのサブパッケージ（１００）に配設され、各サブパッケージは、複数のトランスジューサーの少なくとも一つとサブパッケージハウジング（１０４）を有することを特徴とする請求項１３に記載のパッケージ。
【請求項２３】
少なくとも一つのサブパッケージは少なくとも一つのサブパッケージライン（１０２）を有し、この少なくとも一つのサブパッケージラインは、パッケージハウジング内に配設された少なくとも一つのパッケージトレースを経由して少なくとも一つの接続ラインに結合されることを特徴とする請求項２２に記載のパッケージ。
【請求項２４】
複数の圧力ポート（５２）を備えたマニホールド（５０）に装着するパッケージ（３０）の製造方法であって、
マニホールド内の複数の圧力ポートのそれぞれに対応するように、複数のトランスジューサー（２４）をハウジング内に配設するステップと、
複数のトランスジューサーからハウジング内に信号を受信するプロセッサ（７０）を配設するステップと、
複数のトランスジューサーとプロセッサとの間で信号を巡回させる信号通信インターフェースをハウジング（３１）内に収容するステップと、を特徴とするパッケージの製造方法。
【請求項２５】
複数のトランスジューサー（２４）及びプロセッサ（７０）は、少なくとも一つのサブパッケージ（１００）に配設され、各サブパッケージは、複数のトランスジューサーの少なくとも一つを含み、複数の圧力トランスジューサーを配設するステップは、少なくとも一つのサブパッケージをハウジング内に配設するステップを含むことを特徴とする請求項２４に記載の製造方法。
【請求項２６】
さらに、少なくとも一つのサブパッケージライン（１０２）を、パッケージ内の少なくとも一つのパッケージトレース（１０６）に結合するステップを含み、少なくとも一つのパッケージトレースは、少なくとも一つの接続ライン（９０）に結合され、パッケージを外部システムに結合することを特徴とする請求項２５に記載の製造方法。
【請求項２７】
さらに、複数の圧力トランスジューサーを、ハウジング内の少なくとも一つの基板（６０）上に結合するステップを含むことを特徴とする請求項２４に記載の製造方法。
【請求項２８】
複数の圧力トランスジューサーを結合するステップは、複数のトランスジューサーを少なくとも一つの基板上に直接配設するステップを含むことを特徴とする請求項２７に記載の製造方法。
【請求項２９】
複数の圧力トランスジューサーを結合するステップは、ハウジング内に複数の支持部を配設するステップと、複数のトランスジューサーを複数の支持部に結合するステップを含むことを特徴とする請求項２７に記載の製造方法。
【発明の詳細な説明】
【技術分野】
【０００１】
本発明は、圧力感知システムに関するものであり、特に、複数のポートを有するマニホールド内の流体圧力を感知する圧力感知システムに関するものである。
【背景技術】
【０００２】
電子制御式ソレノイド作動バルブは、流体機械式シフト制御に比べて、トランスミッションのシフト能力を改善させる。特に、トランスミッション内で速度チェンジをスムーズに実行するために、バンドクラッチ及び／またはプレートクラッチなどのクラッチを段階的に、すなわち、漸進的に解放させる。現在製造されているトランスミッションでは、このようなバルブアセンブリがトランスミッションバルブボディ内に装着され、トランスミッション内に配設されたポンプから圧力流体を供給する。シフト操作は、バルブの開ループ制御を利用して行われる。この開ループ制御は時間がかかり、トランスミッションシステムの各バルブのキャリブレーションがコスト高となってしまう。そして、時間的に或は不純物により、バルブが磨耗した際や、トランスミッション流体の粘性が変化した際に、トランスミッショシステムは、その初期キャリブレーション状態から変化して、トランスミッションのシフト性能が低下してしまう。
【０００３】
クラッチ結合に使用するソレノイド式パイロットバルブ及び調整バルブの精確なキャリブレーションや、自動変速装置のライン圧調整を不要とするために、ソレノイド作動式バルブの閉ループ制御が提案された。好適には、閉ループ制御は、シフト操作用クラッチバンドやクラッチプレートによってソレノイドバルブに伝達されるトルクを現すフィードバック信号を供給することを含んでいる。特許文献１には、各クラッチアクチュエータの流体圧力を検知するために圧力センサを使用して、検知した圧力に相当する電気信号をトランスミッションコントロールユニット（ＴＣＵ）に供給して、変速装置を閉ループ制御するシステムが開示されている。ＴＣＵは、次に、実際の検知圧力とアクチュエータへの適正な出力圧力に相当する目標圧力との差を決定する。そして、ＴＣＵは、実際の圧力が目標圧力に達するまで、線形すなわちパルス幅変調（ＰＷＭ）ソレノイド作動式バルブ及びクラッチアクチュエータのどちらにも送られる現在のレベルすなわちデューティサイクルをコントロールする。この閉ループフィードバックは、温度が変化したり、バルブが磨耗したり、トランスミッションオイルが混入物で汚れた場合でも、シフトアクチュエータによる変速装置のスムーズなシフト操作を保証する。
【特許文献１】米国特許第６８０７４７２号明細書
【０００４】
多くのセンサ適用例において、低価格が理由で、ピエゾ式圧力トランスジューサーがよく利用されているが、非線形応答、低出力信号強度、及び温度感知性などのために、数々のデザイン変更に支障をきたしている。ピエゾ式圧力トランスジューサーの使用は、信号増幅及び非線形性の修正を必要とする。修正は、例えば、混合式信号ＡＳＩＣｓによって実行することができる。さらに、圧力トランスジューサーは、電流がＴＣＵからソレノイドバルブへ送られ、圧力トランスジューサーからＴＣＵに返送される圧力トランスジューサーの信号に基づいてバルブを効果的に制御するように配置されなければならない。
【０００５】
リードフレーム、打ち抜きメタルトレース、フレックスサーキット、めっきサーキット、ワイヤハーネス、ワイヤレス手段などの信号通信インターフェースを備えたトランスミッションシステム内に、隔離し、絶縁して信号トランスジューサーを配置して、ＴＣＵ、ソレノイドバルブ及びトランスジューサーの間で電流や信号を送ることは、システム全体の複雑性が増大し、また、トランスジューサーを、バルブ内のソレノイドからの電流のスパイク信号に晒すことになる。トランスジューサーは低レベル信号を出力するため、電流のスパイク信号により発生するノイズにより、受容できない信号エラーを生ずることがあった。
【０００６】
このため、ノイズ感知性や複雑性を低減させて、低コストの圧力トランスジューサーを備えた圧力モニター構造が求められていた。
【発明の開示】
【発明が解決しようとする課題】
【０００７】
本発明は、マニホールド用圧力トランスジューサーパッケージ及びその製造方法を提供することを課題とする。
【課題を解決するための手段】
【０００８】
本発明は、主に、流体圧力をモニターする如何なるシステムにも使用できるパッケージである。このパッケージは、一つ或はそれ以上のトランスジューサー（変換器）及び単一のパッケージ内に収容されるマイクロプロセッサ、マイクロコントローラ、または、ステートマシンを有する。パッケージは、マニホールド内に簡単に組み込むことができる単一の装置を経由して感知する圧力を供給する。
【０００９】
一つの実施の形態では、パッケージは一つの工程でマニホールドに装着され、離れた場所からマニホールドに各圧力トランスジューサーを個々に連結する代わりに、複数の圧力トランスジューサー（圧力変換器）をシステムに連結することができる。パッケージは、圧力トランスジューサーから出力される低レベル信号の信号通信経路を短くして、流体圧力監視システムの全体的な複雑性を低減させることができる。
【００１０】
パッケージは、それ自体がポートを有する形態にして、マニホールド内の圧力ポートに整合させて、マニホールドとトランスジューサーとの間に流体通路を形成することができる。このパッケージは、既存の流体循環システムを改造するアダプタプレートの役割をすることができる。その結果、パッケージの向上された機能により、新規なマニホールドの設計が可能となり、また、既存のマニホールドの設計が容易となる。
【発明を実施するための最良の形態】
【００１１】
図１及び２は、本発明のトランスジューサーパッケージを使用することができる車両用変速装置用の閉ループ圧力コントロールシステム１０を示すブロックダイアグラムである。これらの図は、当業者にとって、本発明の一つの適用可能なパッケージを説明することだけを目的として示すものであり、本発明の範囲を限定することを意図するものではないことに注意されたい。
【００１２】
システム１０は、ポンプ１１から圧力流体を供給する複数のソレノイド作動式バルブ１２を有しており、このポンプはトランスミッションの入力軸で駆動される。各バルブ１２は、導管を介して圧力流体を流体コントロールバルブ１８に供給して、各流体コントロールバルブ１８の出力は導管を介して、バンドクラッチまたはプレートクラッチなどの流体作動クラッチ２２に供給され、速度（ギヤ）変更の際にトランスミッショントルクを制御する。
【００１３】
クラッチ対応導管２０に沿って各クラッチ（図１参照）や各コントロールバルブ（図２参照）に供給される圧力は、圧力トランスジューサー（圧力変換器）２４で感知され、この圧力トランスジューサーは、図１及び図２に破線で示すように、感知した圧力を示す信号を、電子式トランスミッションコントロールシステム（ＴＣＵ）２６に供給する。ＴＣＵ２６は、パワートレインコンピュータ２８から指令圧力信号の形態の入力を受け取る。パワートレインコンピュータは、車両及びエンジントランスミッション用の所定のシフト特性を供給するようにプログラムされている。圧力トランスジューサー２４は、ピエゾ式センサなどの適宜の圧力センサで構成することができる。
【００１４】
本発明の構成では、一つ或はそれ以上のトランスジューサー（変換器）２４が、単一のパッケージ３０の中に組み込まれている。このパッケージは（例えば、ＴＣＵ２６に装着することにより）トランスミッションシステム１０内に簡単に組み込むことができる。図３〜図７は、本発明のパッケージ３０の種々の形態を示す断面図であり、トランスミッションマニホールド内に組み込まれる。パッケージ３０は、取り扱いや保護を簡単にできるように樹脂製パッケージハウジング３１（図８〜図１１）に収容されている。図示例では、パッケージ３０がＴＣＵ２６に装着されるように示されている。当業者であれば、パッケージ３０は、流体圧力のコントロールによって、他のシステム内に組み込むことができることを理解するであろう。
【００１５】
従来公知のように、ＴＣＵは、内部圧力ポート５２を備えたマニホールド５０を有している。図示した形態では、パッケージハウジング３１は、マニホールド５０の頂面に載置されており、トランスジューサー２４はパッケージ３０内に配設され、トランスジューサー２４をマニホールド５０の上方へ指向させている。パッケージハウジング３１は、また、ＴＣＵハウジング（図示省略）或はマニホールド５０上に配設されたプレート（図示省略）の頂面に載置してもよい。
【００１６】
図８から図１１に示すように、パッケージ３０は、基盤６１に、直接に或いは支持部を介して、結合された複数の変換機２４を含んでおり、単一の複数変換機パッケージ３０を形成している。
【００１７】
図３から図５を参照すると、パッケージ３０は、基板６１として機能するサーキットカード、フレックスサーキット、めっきトレース、或いは、他の要素などと一体の支持部６２を有している。支持部６２は、ガラスや他の絶縁体から形成することができる。支持部６２は、マニホールド５０内の圧力ポート５２に対応して、配列された支持部ポート６６を有しており、パッケージ３０がトランスミッションシステム１０内に組み込まれたときに、圧力ポート５２内の流体を変換機２４に接近させる流体チャネルを形成する。その結果、変換機２４は、共同する圧力ポート５２で示される流体圧力に基づいて出力を生成することができる。また、支持部６２を省略して、変換機２４を直接基板６１上に配設して、トランスジューサー２４と基板６１との間でインターフェースとして作動する部材がないようにしてもよい。この場合、圧力ポート５２は、トランスジューサー２４に直接連通される。
【００１８】
パッケージ３０は、また、基板６１上に配設されたマイクロプロセッサまたはＡＳＩＣなどのプロセッサ７０を有している（図８から図１１参照）。この形態では、ワイヤボンド６８が各電気接点ポイント５８に対応する各圧力トランスジューサー２４に結合され、圧力トランスジューサー２４からの信号を巡回させることができる。信号と電流は、リードフレーム、打ち抜きメタルトレース、フレックスサーキット、めっきサーキット、ワイヤハーネス、ワイヤレス手段などの適宜の信号通信インターフェースを経由してＴＣＵ２６、トランスジューサー２４及び他のプロセッサ７０の間を巡回する。これらの形態では、同様の部材（例えば、リードフレームなど）は、基板６１及び信号通信インターフェースの両方として作動することに注意されたい。
【００１９】
特定のパッケージ３０の形態に関わらず、圧力ポート５２とトランスジューサー２４との整列により、パッケージ３０を既存のトランスミッションシステム内に組み込むことができる。これにより、パッケージ３０をＴＣＵ２６とは別個に簡単に製造して、マニホールド５０の形態を変更することなくパッケージ３０を装着することができる。
【００２０】
図３は、パッケージ３０内の支持部６２が、本発明のパッケージ３０のハウジング３１内に埋め込まれた形態を示している。流体の漏洩を防止するために、シール構造を圧力ポート５０の周囲に形成することができる。図３に示す形態では、Oリング８０がシール構造体として機能して、マニホールド５０と支持部６２との間に挟みこまれて、圧力ポート５２を流体的にシールしている。当業者であれば、本発明の範囲から離れることなく、ガスケットなどの他のシール構造を使用することができることを理解するだろう。
【００２１】
Oリング８０は、また、図４の形態でも使用されるが、この形態では、Oリング８０は、マニホールド５０の凹部７２内に挟み込まれている。図４では、支持部６２とサーキットカード６４は、パッケージハウジング内に埋め込まれることなく、パッケージハウジング３１の頂面に配設されている。図３に示す形態と同様に、サーキットカード６４上にトランスジューサー２４を配設する形態は、マニホールド５０の圧力ポート５２の形態に対応させて調整することができる。
【００２２】
図５は、Oリングを必要としない他のシール構造を示している。その代わり、支持部６２は、テーパ状（例えば、截頭円錐状）或いは同様の一体形状の延長部８２を有している。支持部６２がパッケージハウジング３１内に埋め込まれた場合には、延長部８２は、パッケージ３０からハウジング３１の下方へマニホールド５０内に延在して、圧力ポート５２の周囲に流体シールを形成する。図４の形態と同様に、この形態では、パッケージ３０はシステム１０の他の部材とは別個に製造され、マニホールド５０にモジュール形態で装着される。
【００２３】
図３から図５には、基板６１の頂面に配設されたトランスジューサー２４が示されており、当業者であれば、本発明の範囲を離れることなく、トランスジューサー２４は、基板６１の底面上に、すなわち、底面の下面に配設することを理解できるであろう。
【００２４】
図６には、トランスジューサー２４を基板６１上に配設する他の形態が示されており、トランスジューサー２４は、接着され、或は、機械的に固着され、圧力ポート５２に直接連結されている（例えば、ハウジング３１上に接着或は機械的に固着されている）。このことは、例えば、トランスジューサー２４を基板６１の下面に配置して、或は、トランスジューサー２４を基板６１内に埋め込んで、トランスジューサー２４を圧力ポート５２に連結させることにより達成される。ワイヤボンド６８は、このワイヤボンド６８を介して、ＴＣＵ２６または絶縁インターフェースに直接配設されたフレックスサーキット或はめっきトレースなどの通信インターフェースに結合される。この形態では、トランスジューサー２４は圧力ポート３２に直接連絡される。図６に示す基板６１内にトランスジューサー２４を組み込む形態では、パッケージは、基板６１の下面にトランスジューサー２４を装着することにより、トランスジューサー２４と圧力ポート５２との間を直接接触させていることに注意されたい。
【００２５】
図７には、トランスジューサー２４が、単一のトランスジューサーハウジング７０の内側に配設されている他の形態が示されている。ハウジング７０は、ＴＣＵ或はサブキャリア（例えば、パッケージハウジング３１）に直接接着され、また、ワイヤボンド６８は、ＴＣＵ上または絶縁インターフェース上の通信インターフェースに接着されている。
【００２６】
図６及び図７には、シール構造は示されていないが、当業者であれば、本発明の範囲を離れることなく、図３から図５に示すいずれかのシール構造を組み込むことができることを理解できるであろう。
【００２７】
トランスジューサー２４の特定の配列に関わらず、ワイヤボンド或はパッケージリード６８は、トランスジューサー２４から発生した信号を、フレックスサーキット或はめっきトレースなどの基板６１上の通信インターフェースに巡回させ、続いて、トランスジューサー信号を処理するプロセッサ７０に信号を巡回させる。
【００２８】
パッケージ３０の形態により、トランスジューサー２４は、トランスミッションシステム１０内に個々の構成部材を散在させるよりは、むしろ単一部材として集合させる。本発明により、マニホールド５０とトランスジューサー２４との間及びトランスジューサー２４とプロセッサ７０との間の信号経路が短くなり、トランスミッションシステム全体の複雑さを低減させ、ノイズの感知性を低下させる。
【００２９】
ＴＣＵ２６内に本発明のパッケージ３０を組み込む場合は、パッケージ３０はＴＣＵ２６の既存プロセッサを使用して、信号を処理してもよい。また、トランスジューサー２４は、パッケージ３０を備えた所望の形態に形成してもよい。
【００３０】
図８から図１１には、パッケージ３０内のトランスジューサーの配列形態が示されている。本発明はこれらの形態に限定されないし、本発明の範囲を離れることなく他の形態も可能である。パッケージ３０は、図３から図５に示すいずれかの形態を利用して組立てることができる。上述したように、パッケージ３０は、マニホールド５０とは別個に製造され、ハーネス、リードフレーム、或は、他の接続具によってマニホールド５０に結合することができる。
【００３１】
図８及び図９には、トランスジューサー２４が、対応する基板６１上に、円形或は六角形状に配設されたパッケージ形態が示されている。トランスジューサー２４及びプロセッサ７０は、パッケージハウジング３１内に収容されている。追加のダムすなわちフィルタ部材７３がパッケージ３０内に設けられ、経年変化により緩まないように、トランスジューサー２４とプロセッサ７０を安定させている。パッケージハウジング３０は、また、ボルト孔７４を有しており、パッケージ３０を単一のボルトを利用してマニホールド５０に簡単に装着できる。
【００３２】
トランスジューサー２４とプロセッサ７０は単一のパッケージ３０内で一緒にされ、４本の接続ライン９０（すなわち、データライン、クロックライン、パワーライン及び接地ライン）だけが、トランスジューサー２４をＴＣＵ２６に接続するために必要である。この結果、プロセッサ７０とトランスジューサー２４との間のトレースの全長が短くなり、ＴＣＵ２６に接続される全数が削減され、耐ノイズ性を向上させた圧力感知システムを製造することができる。さらに、パッケージ３０は、モジュール構成部材として機能して、マニホールド自体の形態を変えることなくどのマニホールドにも装着することができる。
【００３３】
図１０及び図１１には、一つ或はそれ以上のサブパッケージ１００にパッケージ３０が組み込まれる形態が示されている。図１０にはサブパッケージ１００の一形態が示されている。サブパッケージ１００は、サブパッケージライン１０２とサブパッケージハウジング１０４と共に二つ或はそれ以上のトランスジューサー２４を有している。図１１に示すように、二つ或はそれ以上のサブパッケージ１００は、パッケージハウジング３１内に配設され、完成したパッケージ３０を形成する。サブパッケージライン１０２は、パッケージトレース１０６に接続され、続いて、接続ライン９０に接続される。図１１に示す例では、各サブパッケージ１００は、データ接続ライン及びクロック接続ラインと、二つのサブパッケージ電源ライン及び接地ラインを有している。この例では、パッケージハウジング３１は、パッケージ３０をマニホールドに装着する二つのボルト孔７４を有している。
【００３４】
サブパッケージ１００は、パッケージ３０内に組み込まれる前にキャリブレーションしてもよい。このことにより、別の構成部材によりサブパッケージ１００を製造して、パッケージを完成させることができる。
【００３５】
上述した形態は、単に実施可能な形態を例示したものである。当業者であれば、パッケージは、本発明の範囲を離れることなく別の形態でもよいことを理解できるであろう。さらに、上述した例は、トランスミッションのマニホールドに絞ったものであるが、当業者であれば、本発明のパッケージは、他の流体圧力感知システムに使用することができることがわかるであろう。
【００３６】
一つ或はそれ以上のトランスジューサーとプロセッサを単一のパッケージ内に組み込むことによって、本発明は、マニホールドの形態を変えることなく、流体圧力監視機能や流体圧力制御機能を提供することができる。また、マニホールド内の流体は、流体をトランスジューサーに再循環させるアダプタープレートを使用することにより、本発明のパッケージに方向が変えられる。このことにより、マニホールドの形態に関わらず、パッケージにより、流体システムに圧力感知機能が追加される。
【００３７】
本発明を、図示した実施の形態に関連して説明してきたが、本発明は修正や変更が可能であり、従属する請求の範囲のみに制限されないことを理解されたい。
【図面の簡単な説明】
【００３８】
【図１】図１は、本発明の実施の形態に係るパッケージを使用することができる閉ループトランスミッションコントロールシステムのブロックダイアグラムである。
【図２】図２は、本発明の実施の形態に係るパッケージを使用することができる閉ループトランスミッションコントロールシステムのブロックダイアグラムである。
【図３】図３は、本発明のパッケージ内に設けたトランスジューサーの一形態の断面図である。
【図４】図４は、本発明のパッケージ内に設けたトランスジューサーの他の形態の断面図である。
【図５】図５は、本発明のパッケージ内に設けたトランスジューサーのさらに他の形態の断面図である。
【図６】図６は、本発明のパッケージ内に設けたトランスジューサーのさらに他の形態の断面図である。
【図７】図７は、本発明のパッケージ内に設けたトランスジューサーのさらに他の形態の断面図である。
【図８】図８は、本発明の実施の形態に係るパッケージの上面図である。
【図９】図９は、本発明の実施の形態に係るパッケージの底面図である。
【図１０】図１０は、本発明の他の実施の形態に係るパッケージ内に使用されるサブパッケージの上面斜視図である。
【図１１】図１１は、図１０に示すサブパッケージを設けたパッケージの上面斜視図である。
【符号の説明】
【００３９】
１０  閉ループ式圧力コントロールシステム
１１  流体ポンプ
１２  ソレノイド作動式バルブ
１８  流体コントロールバルブ
２２  流体作動式クラッチ
２４  圧力トランスジューサー（圧力変換器）
２６  電子式トランスミッションコントロールユニット
２８  パワートレインコンピュータ
３０  パッケージ
３１  パッケージハウジング
５０  マニホールド
５２  圧力ポート
６１  基板
６２  支持部
６６  支持部ポート
６８  ワイヤーボンド
７０  プロセッサ
８０  Ｏリング
【図１】
2007093604.tif 000003
【図２】
2007093604.tif 000004
【図３】
2007093604.tif 000005
【図４】
2007093604.tif 000006
【図５】
2007093604.tif 000007
【図６】
2007093604.tif 000008
【図７】
2007093604.tif 000009
【図８】
2007093604.tif 000010
【図９】
2007093604.tif 000011
【図１０】
2007093604.tif 000012
【図１１】
2007093604.tif 000013